(57)【要約】  【課題】  快適な保温性および着用感が得られる婦人用肌着を提供する。  【解決手段】  上半身用の婦人用肌着１であって、筒状の丸編地からなり前身頃１１および後身頃を備える本体部１０を備え、本体部１０は、全体がタック編みにより編成された下部１６と、前身頃１１が平編みにより編成され後身頃がタック編みにより編成された上部１５とを備え、下部１６と上部１５とが一体に編成されている。この婦人用肌着１は、平編みにより編成された丸編地からなる首部２０を更に備えることが好ましい。【選択図】  図１
2019011531.tif 000002
【特許請求の範囲】
【請求項１】
上半身用の婦人用肌着であって、
筒状の丸編地からなり前身頃および後身頃を備える本体部を備え、
前記本体部は、全体がタック編みにより編成された下部と、前身頃が平編みにより編成され後身頃がタック編みにより編成された上部とを備え、前記下部と上部とが一体に編成されている婦人用肌着。
【請求項２】
平編みにより編成された丸編地からなる首部を更に備える請求項１に記載の婦人用肌着。
【請求項３】
タックを構成するタック構成糸の少なくとも一部が、ポリプロピレンまたはキュプラからなる請求項１または２に記載の婦人用肌着。
【発明の詳細な説明】
【技術分野】
【０００１】
本発明は、婦人用肌着に関し、より詳しくは、上半身用の婦人用肌着に関する。
【背景技術】
【０００２】
従来の婦人用肌着として、特許文献１には、上胸部から襟口等の裏面側に部分的に嵩高編組織を編成し、襟口からの放熱を防止することにより保温性を高めた婦人用肌着が開示されている。
【先行技術文献】
【特許文献】
【０００３】
【特許文献１】特開２０１５−１３７４４１号公報
【発明の概要】
【発明が解決しようとする課題】
【０００４】
ところが、上記従来の肌着のように、使用者の胸部をタック編地によって覆うと、暖房が効いた屋内や車内等では暑くなり過ぎて、使用者に不快感を与えるおそれがあった。また、胸部の裏面側にパイルが形成されているため、着用時にブラジャー等との引っかかりが生じて、着用感を損なうおそれがあった。
【０００５】
そこで、本発明は、快適な保温性および着用感が得られる婦人用肌着の提供を目的とする。
【課題を解決するための手段】
【０００６】
本発明の前記目的は、上半身用の婦人用肌着であって、筒状の丸編地からなり前身頃および後身頃を備える本体部を備え、前記本体部は、全体がタック編みにより編成された下部と、前身頃が平編みにより編成され後身頃がタック編みにより編成された上部とを備え、前記下部と上部とが一体に編成されている婦人用肌着により達成される。
【０００７】
この婦人用肌着は、平編みにより編成された丸編地からなる首部を備えることが好ましい。
【０００８】
また、タックを構成するタック構成糸の少なくとも一部が、ポリプロピレンまたはキュプラからなることが好ましい。
【発明の効果】
【０００９】
本発明によれば、快適な保温性および着用感が得られる婦人用肌着を提供することができる。
【図面の簡単な説明】
【００１０】
【図１】本発明の一実施形態に係る婦人用肌着の正面図である。
【図２】図１に示す婦人用肌着の背面図である。
【図３】図１に示す婦人用肌着のタック編み部を示す編組織図である。
【発明を実施するための形態】
【００１１】
以下、本発明の実施の形態について、添付図面を参照して説明する。図１は、本発明の一実施形態に係る婦人用肌着の正面図であり、図２は、図１に示す婦人用肌着の背面図である。図１および図２に示すように、婦人用肌着１は、上半身用であり、本体部１０と、本体部１０の上側に設けられて使用者の首回りを覆う首部２０と、本体部１０の両側に設けられて使用者の袖回りを覆う一対の袖部３０，３０とを備えている。
【００１２】
本体部１０は、丸編み機により編成された筒状の丸編地が、所望の身丈で裁断されて形成されており、前身頃１１および後身頃１２を備えている。本体部１０の上側には、首付部１３と、首付部１３の両側に形成された一対の袖付部１４，１４とが、裁断により形成されている。
【００１３】
本体部１０は、使用者の胸部および背部を覆う上部１５と、使用者の腹部および腰部を覆う下部１６とを備えている。下部１６は、全体がタック編みによって編成されている。一方、上部１５は、前身頃１１が平編みによって編成される一方、後身頃１２がタック編みによって編成されている。上部１５と下部１６とは、連続するように一体に形成されている。上部１５と下部１６との境界Ｂは、本体部１０の高さ方向の中央よりも下方に配置されることが好ましい。なお、下部１６の下方である裾部分は、平編みによって編成することが好ましい。
【００１４】
首部２０および一対の袖部３０，３０は、本体部１０と同様に、丸編み機によって筒状に編成されており、首付部１３および一対の袖付部１４，１４にそれぞれ縫着されている。首部２０は、全体が平編みにより編成された丸編地からなる。また、一対の袖部３０，３０は、使用者の肩から肘までを覆う部分３１がタック編みによって編成され、肘から手首までを覆う部分３２が平編みによって編成されている。
【００１５】
タック編みは、パイル調編みともいい、例えば、上記特許文献１に開示された疑似パイル編みによって編成することができる。すなわち、図３に示すように、コースＢ１，Ｄ１，Ｂ２，Ｄ２において地糸を使用し、コースＡ１，Ｃ１，Ａ２，Ｃ２においてタック構成糸を使用し、タック構成糸により形成されるループが２列以上離れた地糸にわたるように編み込むことで、タックを構成する。
【００１６】
本体部１０における平編み部とタック編み部とは、地糸およびタック構成糸を用いて一体に編成されており、タック編み部の編成のみタック構成糸を裏側に突出させることにより、パイル調としている。こうして、本体部１０を構成する上部１５および下部１６の全体が、無縫製で編成されている。一対の袖部３０，３０についても、本体部１０と同様に、平編み部とタック編み部とが一体に編成されている。
【００１７】
本体部１０、首部２０および一対の袖部３０，３０の編成に用いる地糸およびタック構成糸は、特に限定されるものではなく、下着用として公知のものを使用することができるが、地糸については、コスト面等からナイロン糸を好適に使用することができる。タック構成糸についても、ナイロン糸などを使用可能であるが、少なくとも一部を、ポリプロピレンまたはキュプラからなる機能糸とすることが好ましい。例えば、図３のように、コースＡ１，Ｃ１，Ａ２，Ｃ２にタック構成糸を使用する場合には、コースＡ１，Ａ２に上記の機能糸を使用し、コースＣ１，Ｃ２に地糸と同じ種類の糸を使用することができる。あるいは、コースＡ１，Ｃ１，Ａ２，Ｃ２のタック構成糸の全てに上記の機能糸を使用してもよい。ポリプロピレンからなるタック構成糸を使用する場合、帯電防止処理を施すことが好ましい。地糸およびタック構成糸の本数は、特に限定されるものではない。
【００１８】
上記の構成を備える婦人用肌着１によれば、下部１６の全体と上部１５の後身頃１２がタック編みで編成されているので、この部分での良好な保温性を確保することができる。一方、上部１５の前身頃１１は平編みで編成されているので、この部分からの適度な放熱を促すことにより過度の蓄熱を防止して、使用者の暑さによる不快感を抑制することができる。更に、上部１５の前身頃１１が平編みであることにより、ループパイルがブラジャー等の下着に引っ掛かるおそれがなく、着用感を良好に維持することができる。
【００１９】
また、本実施形態の婦人用肌着１は、平編みからなる首部２０を備えているので、使用者の首回りにおける過度の蓄熱や放熱を防止して、快適な保温性を得ることができる。但し、丸首やＶ首などのように、婦人用肌着１が首部２０を備えない構成であってもよい。
【００２０】
また、ポリプロピレンからなるタック構成糸を使用することにより、タック編み部における良好な保温性を確保することができ、平編み部からの放熱と容易にバランスさせることができる。一方、キュプラからなるタック構成糸を使用した場合には、良好な吸湿性や肌触り性を得ることができ、使用者の快適感を向上させることができる。
【００２１】
袖部３０は、本実施形態では長袖としているが、半袖であってもよく、或いは、袖部３０を備えない構成であってもよい。
【符号の説明】
【００２２】
１  婦人用肌着
１０  本体部
１１  前身頃
１２  後身頃
１５  上部
１６  下部
２０  首部
３０  袖部
【図１】
2019011531.tif 000003
【図２】
2019011531.tif 000004
【図３】
2019011531.tif 000005